(57)【要約】【課題】  いつ生じるかわからない落石を常時監視することなく、落石の落下による事故を防止する落石分散システムを提供する。【解決手段】  落石分散システムにおいて、崩れる危険性の高い岩石３に、カプセル４で覆われた通常の状態では作用しない発破装置５を取付け、前記岩石３の落下に基づいて前記発破装置５を起動させることにより、前記岩石３を粉砕し分散させる。【選択図】  図１
2011144515.tif 000002
【特許請求の範囲】
【請求項１】
崩れる危険性の高い岩石に、カプセルで覆われた通常の状態では作用しない発破装置を取付け、前記岩石の落下に基づいて前記発破装置を起動させることにより、前記岩石を粉砕し分散させることを特徴とする落石分散システム。
【請求項２】
請求項１記載の落石分散システムにおいて、前記発破装置は、前記岩石の落下の衝撃によって起動する反応式の火薬であることを特徴とする落石分散システム。
【請求項３】
請求項１記載の落石分散システムにおいて、前記発破装置は、前記岩石の落下の衝撃によって起動する反応式の化学薬品であることを特徴とする落石分散システム。
【請求項４】
請求項１記載の落石分散システムにおいて、前記発破装置は、前記岩石の落下過程で充電され、電磁誘導によって起爆される電気式の発破装置であることを特徴とする落石分散システム。
【請求項５】
請求項４記載の落石分散システムにおいて、前記岩石の落下過程に設定した一定周波数の電磁波発生領域を通ることにより、前記岩石に設置した受信器に内蔵された発火用のコンデンサーが充電され、遠隔制御発破装置によって起爆されて、前記岩石を発破するようにしたことを特徴とする落石分散システム。
【発明の詳細な説明】
【技術分野】
【０００１】
本発明は、落石を分散させて落石による被害を防ぐための落石分散システムに関するものである。
【背景技術】
【０００２】
従来、落石防護工として、落石をネットやコンクリート構造物などで捕捉し、被害を防ぐ対策が取られている（下記特許文献１，２参照）。
【先行技術文献】
【特許文献】
【０００３】
【特許文献１】特開２００９−２０３６８１号公報
【特許文献２】特開２００９−１４４４７２号公報
【発明の概要】
【発明が解決しようとする課題】
【０００４】
しかしながら、落石はその安定度の定量的な評価ができないことから、いつ落下するかわからず、落下した場合には大きな被害が生じる恐れがある。そのために、大がかりな待ちうけ式の防護工や２４時間体制の計測など非常に大がかりな対策が必要となっている。
本発明は、上記状況に鑑みて、いつ生じるかわからない落石を常時監視することなく、岩石の落下による事故を防止することができる落石分散システムを提供することを目的とする。
【課題を解決するための手段】
【０００５】
本発明は、上記目的を達成するために、
〔１〕落石分散システムにおいて、崩れる危険性の高い岩石に、カプセルで覆われた通常の状態では作用しない発破装置を取付け、前記岩石の落下に基づいて前記発破装置を起動させることにより、前記岩石を粉砕し分散させることを特徴とする。
〔２〕上記〔１〕記載の落石分散システムにおいて、前記発破装置は、前記岩石の落下の衝撃によって起動する反応式の火薬であることを特徴とする。
【０００６】
〔３〕上記〔１〕記載の落石分散システムにおいて、前記発破装置は、前記岩石の落下の衝撃によって起動する反応式の化学薬品であることを特徴とする。
〔４〕上記〔１〕記載の落石分散システムにおいて、前記発破装置は、前記岩石の落下過程で充電され、電磁誘導によって起爆される電気式の発破装置であることを特徴とする。
【０００７】
〔５〕上記〔４〕記載の落石分散システムにおいて、前記岩石の落下過程に設定した一定周波数の電磁波発生領域を通ることにより、前記岩石に設置した受信器に内蔵された発火用のコンデンサーが充電され、遠隔制御発破装置によって起爆されて、前記岩石を発破するようにしたことを特徴とする。
【発明の効果】
【０００８】
本発明によれば、いつ生じるかわからない落石を常時監視することなく、落石の落下による事故を防止することが可能となり、監視にかかるコストの軽減および落石の落下防止による列車などの安全運行に資することができる。
【図面の簡単な説明】
【０００９】
【図１】本発明の実施例を示す落石分散システムの模式図である。
【図２】本発明の第１実施例を示す発破装置の説明図である。
【図３】本発明の第２実施例を示す発破装置の説明図である。
【発明を実施するための形態】
【００１０】
本発明の落石分散システムは、崩れる危険性の高い岩石にカプセルで覆われた通常の状態では作用しない発破装置を取付け、前記岩石の落下に基づいて前記発破装置を起動させることにより前記岩石を粉砕し分散させる。
【実施例】
【００１１】
以下、本発明の実施の形態について詳細に説明する。
図１は本発明の実施例を示す落石分散システムの模式図である。
この図において、崖１の下方には盛土２が構築されている。その崖１の上方には崩れる危険性の高い岩石３がある。この岩石３には、あらかじめカプセル４中に発破装置（例えば、火薬や化学薬品等の爆薬や電磁波の受電によって発破する装置）５をセットしておく。そこで、岩石３の落下が発生すると、その衝撃又は電磁波の受電によって岩石３に設置した発破装置５が起動し、岩石３を粉砕し分散させる。したがって、発破の衝撃で岩石３は粉々の石６に分散されるので、落下エネルギーが減少し、岩石３の直撃による落下先での事故を防ぐことができる。よって、崖１の下方に列車の線路があるような場合には、列車の安全運行に資することができる。
【００１２】
以下、爆薬の起爆システムについて詳細に説明する。
爆薬を起爆するシステムには、大別して電気式と非電気式とがある。電気式の起爆システムに使用する雷管には、電気雷管、電磁誘導を利用したもの、ＩＣタイマーを内蔵した電子雷管等がある。
電気式には、電磁誘導発破システム（Ｍ．Ｂ．Ｓ）、遠隔制御発破装置などがあり、非電気式には、導火管付き雷管（ノネル、エクセル等）がある。
【００１３】
電気式には、電磁誘導発破システム（Ｍ．Ｂ．Ｓ）、遠隔制御発破装置などがある。
本発明では、崩れる危険性の高い岩石に、あらかじめ頑丈なカプセルで覆い、通常の状態では作用しない構造とした起爆システムをセットする。
図２は本発明の第１実施例を示す発破装置の説明図である。
この図において、崖１１の下方には盛土１２が構築されている。その崖１１の上方には崩れる危険性の高い岩石１３がある。この岩石１３には、あらかじめカプセル１４中に非電気式の発破装置（例えば、火薬や化学薬品の爆薬）１５をセットしておく。そこで、岩石１３の落下が発生すると、その衝撃によって岩石１３に設置した発破装置１５が起動し、岩石１３を粉砕し分散させる。したがって、発破の衝撃で岩石１３は粉々の石１６に分散されるので、落下エネルギーが減少し、岩石１３の直撃による落下先での事故を防ぐことができる。
【００１４】
図３は本発明の第２実施例を示す発破装置の説明図である。
この図において、崖２１の下方には盛土２２が構築され、その上には例えば線路２３が敷設され、列車２４が走行できるようになっている。その崖２１の上方には、崩れる危険性の高い岩石２５がある。この岩石２５にはあらかじめカプセル２６中に電気式の発破装置（受信器とその内部の発火用のコンデンサーを内蔵）２７をセットしておく。そこで、岩石２５の落下が発生すると、その落下の過程に設定した一定周波数の電磁波発生領域２８を通ることにより、岩石２５に設置した電気式の発破装置２７としての受信器がその一定周波数の電磁波を受信して、受信器内部の発火用のコンデンサーが充電され、電磁誘導によって遠隔制御発破装置により起爆される。したがって、発破の衝撃で岩石２５は粉々の石２９に分散されるので、落下エネルギーが減少し、岩石２５の直撃による落下先での列車２４の事故を防ぐことができる。
【００１５】
なお、本発明は上記実施例に限定されるものではなく、本発明の趣旨に基づき種々の変形が可能であり、これらを本発明の範囲から排除するものではない。
【産業上の利用可能性】
【００１６】
本発明の落石分散システムは、いつ生じるかわからない落石を常時監視することなく、岩石の落下による事故を防止する落石分散システムとして利用可能である。
【符号の説明】
【００１７】
１，１１，２１    崖
２，１２，２２    盛土
３，１３，２５    崩れる危険性の高い岩石
４，１４，２６    カプセル
５    発破装置
６，１６，２９    粉々の石
１５    非電気式の発破装置
２３    線路
２４    列車
２７    電気式の発破装置
２８    一定周波数の電磁波発生領域
【図１】
2011144515.tif 000003
【図２】
2011144515.tif 000004
【図３】
2011144515.tif 000005